(57)【特許請求の範囲】
【請求項１】
電力系統の監視・制御を行うためのサーバと、運転員が電力系統の監視・制御の運転を行うための卓装置と、電力系統の監視・制御状態を表示する画面表示装置とをＬＡＮ接続した電力系統監視・制御装置を備えた複数の制御所の上記電力系統監視・制御装置をネットワークを介して接続した電力系統監視・制御システムであって、電力系統の監視・制御を行うために必要なデータベースをメンテナンスするためのデータサーバが上記複数の制御所のうちの一制御所の電力系統監視・制御装置にＬＡＮ接続され、各制御所の電力系統監視・制御装置におけるサーバには、データサーバで作成されたデータベースが転送されて格納され、上記各制御所の電力系統監視・制御装置は、制御所相互の監視制御を切り替える監視制御切替手段を備えていることを特徴とする電力系統監視・制御システム。
【請求項２】
電力系統の監視・制御を行うためのサーバと、運転員が電力系統の監視・制御の運転を行うための卓装置と、電力系統の監視・制御状態を表示する画面表示装置とをＬＡＮ接続した電力系統監視・制御装置を備えた複数の制御所の上記電力系統監視・制御装置をネットワークを介して接続した電力系統監視・制御システムであって、電力系統の監視・制御を行うために必要なデータベースをメンテナンスするためのデータサーバが上記複数の制御所とネットワークを介して接続されたデータセンタに設置され、各制御所の電力系統監視・制御装置におけるサーバには、データサーバで作成されたデータベースが転送されて格納され、上記各制御所の電力系統監視・制御装置は、制御所相互の監視制御を切り替える監視制御切替手段を備えていることを特徴とする電力系統監視・制御システム。
【請求項３】
１つまたは複数の制御所において電力系統設備に変更が発生した場合に、データサーバにおいて上記変更に対するデータベースのメンテナンスがされて新データベースが作成され、該新データベースが各制御所の電力系統監視・制御装置に転送され、該各制御所における電力系統監視・制御装置のデータベースが上記新データベースに切り替えられることを特徴とする請求項１または２記載の電力系統監視・制御システム。
【請求項４】
画面表示装置が複数の制御所における電力系統の監視・制御状態を並列に表示することができる大画面表示装置であることを特徴とする請求項１または２記載の電力系統監視・制御システム。
【発明の詳細な説明】
【０００１】
【発明の属する技術分野】
本発明は、電力系統を監視・制御するシステムに関するものであり、詳細には、複数の制御所にある電力系統監視制御装置のデータベースを一カ所で一元管理でき、さらには、大画面表示装置を用いて複数の制御所の電力系統監視・制御装置の運転を代行する、あるいはバックアップすることのできる電力系統監視・制御システムに関するものである。
【０００２】
【従来の技術】
図８は、従来の電力系統監視・制御システムを示す基本的な構成図である。図において、１０はＡ制御所、２０はＢ制御所を示しており、Ａ制御所１０及びＢ制御所２０には電力系統監視・制御装置が実装されている。Ａ制御所１０及びＢ制御所２０の電力系統監視・制御装置において、５０、１００は監視制御を司るサーバ、７０、１１０は運転員が運転するための卓装置、６０、１７０はデータベースを管理するデータサーバであり、Ａ制御所１０とＢ制御所２０はネットワーク３０を介して接続されており、現地機器情報、操作手順表、系統運用情報等の情報の送受信が行われる。
【０００３】
同図に示したように、従来の電力系統監視・制御システムとしては、電力会社が管轄する電力系統を分割し、分割した電力系統それぞれに対してＡ制御所１０及びＢ制御所２０のように複数の制御所を設け、Ａ制御所１０及びＢ制御所２０独自の電力系統監視・制御装置で定義されたデータベースにしたがって管轄電力系統の監視・制御がなされてきた。
【０００４】
従って、電力系統監視・制御装置のデータベースについても、電力系統監視・制御装置毎にデータサーバ６０、１７０が設置され、電力系統監視・制御装置毎に独立してデータベースをメンテナンスする方式を採っていた。
【０００５】
また、従来の電力系統監視・制御装置の表示装置としては、モザイク盤の系統盤１６０が採用されていた。
【０００６】
【発明が解決しようとする課題】
上記のように、従来の電力系統監視・制御システムでは、各制御所は独自の電力系統監視・制御装置で定義される独自のデータベースに従って管轄電力系統の監視・制御にあたるため、一つの制御所が他の制御所の電力系統監視・制御装置の代行運転をする、またはバックアップ運転をすることが困難であり、時間毎に推移する運転員の負荷の重・軽に関わらず、各々の制御所の電力系統監視・制御装置で２４時間運転を行う必要があった。
【０００７】
また、データベースのメンテナンスを、各々の制御所の電力系統監視・制御装置に対して個別に実施する必要があり、データベースのメンテナンスに手間がかかるなどの問題点があった。
【０００８】
また、モザイク盤の系統盤の場合、照光器の点灯と消灯のみの表示であり、代行運転あるいはバックアップ運転等における表示内容の変更及び拡大・縮小表示は実現できないなどのマンマシン上の問題点があった。
【０００９】
本発明は、上記のような問題を解決するためになされたものであり、複数の制御所の電力系統監視・制御装置のデータベースを、代表する１個所の制御所の電力系統監視・制御装置または別途設置したデータセンタにて一元管理し、複数の制御所の電力系統監視・制御装置のデータベースのメンテナンスをまとめて実施するとともに、夜間等の比較的運転員にとって負荷の軽い時間帯において、大画面表示装置を使用して、他の制御所の電力系統監視・制御装置の代行運転または他の電力系統監視・制御装置の故障時におけるバックアップ運転が容易に行えるようにするものである。
【００１０】
【課題を解決するための手段】
本発明に係る電力系統監視・制御システムは、電力系統の監視・制御を行うためのサーバと、運転員が電力系統の監視・制御の運転を行うための卓装置と、電力系統の監視・制御状態を表示する画面表示装置とをＬＡＮ接続した電力系統監視・制御装置を備えた複数の制御所の上記電力系統監視・制御装置をネットワークを介して接続した電力系統監視・制御システムであって、電力系統の監視・制御を行うために必要なデータベースをメンテナンスするためのデータサーバが上記複数の制御所のうちの一制御所の電力系統監視・制御装置にＬＡＮ接続され、各制御所の電力系統監視・制御装置におけるサーバには、データサーバで作成されたデータベースが転送されて格納され、上記各制御所の電力系統監視・制御装置は、制御所相互の監視制御を切り替える監視制御切替手段を備えているものである。
【００１１】
また、電力系統の監視・制御を行うためのサーバと、運転員が電力系統の監視・制御の運転を行うための卓装置と、電力系統の監視・制御状態を表示する画面表示装置とをＬＡＮ接続した電力系統監視・制御装置を備えた複数の制御所の上記電力系統監視・制御装置をネットワークを介して接続した電力系統監視・制御システムであって、電力系統の監視・制御を行うために必要なデータベースをメンテナンスするためのデータサーバが上記複数の制御所とネットワークを介して接続されたデータセンタに設置され、各制御所の電力系統監視・制御装置におけるサーバには、データサーバで作成されたデータベースが転送されて格納され、上記各制御所の電力系統監視・制御装置は、制御所相互の監視制御を切り替える監視制御切替手段を備えているものである。
【００１２】
また、１つまたは複数の制御所において電力系統設備に変更が発生した場合に、データサーバにおいて上記変更に対するデータベースのメンテナンスがなされて新データベースが作成され、該新データベースが各制御所の電力系統監視・制御装置に転送され、該各制御所における電力系統監視・制御装置のデータベースが上記新データベースに切り替えられるものである。
【００１３】
また、画面表示装置が複数の制御所における電力系統の監視・制御状態を並列に表示することができる大画面表示装置であるものである。
【００１４】
【発明の実施の形態】
以下に、本発明の実施の形態を、図に基づいて説明する。
実施の形態１．
図１は、本発明に係る電力系統監視・制御システムにおける実施の形態１を示す構成図である。
【００１５】
同図において、Ａ制御所１とＢ制御所２はネットワーク３を介して接続されており、Ａ制御所１の電力系統監視・制御装置は、システムＬＡＮ４に対して、電力系統監視・制御を実施するためのサーバ５、サーバ５及び後述のサーバ１０のデータベースを管理するためのデータサーバ６、運転者が電力系統監視・制御を行う卓装置７、並びに複数の電力系統設備の状態を並列に表示することができる大画面表示装置８が接続され、構成されている。Ｂ制御所２の電力系統監視・制御装置は、電力系統監視・制御を実施するためのサーバ１０、運転者が電力系統監視・制御を行う卓装置１１、複数の電力系統設備の状態を並列に表示することができる大画面表示装置１２がシステムＬＡＮ９に対して接続された構成となっている。
【００１６】
本実施の形態においては、Ａ制御所１及びＢ制御所２にて管轄している電力系統設備の情報、すなわちサーバ５，１０に格納されるデータベースはＬＡＮ４，９及びネットワーク３を介してデータサーバ６によって一元管理されているので、設備の新設、増設、撤去等の変更が発生した場合、Ａ制御所１のデータサーバ６において、変更を加えた新データベースが作成され、この新データベースが各電力系統監視・制御装置へ送られ、各電力系統監視・制御装置において各サーバ５，１０に格納されたデータベースが新データベースと切り替えられる。これによりデータベースのメンテナンスは効率よく実施される。
【００１７】
また、Ａ制御所１及びＢ制御所２の電力系統監視・制御装置のサーバ５，１０では、データサーバ６で作成されたデータベースが転送され、格納され、あるいは上記作成されたデータベースが上記新データベースに切り替えられて相互にデータベースを共有するので、後述の監視制御切替手段を各電力系統監視・制御装置に設けることによって、Ａ制御所１及びＢ制御所２は相互に代行運転あるいはバックアップ運転を容易に実施することができる。
【００１８】
また、大画面表示装置８，１２に対して相互の監視制御の画面を自制御所の監視制御画面と並列に表示することができるので、他制御所の代行運転あるいはバックアップ運転における監視を容易に行うことができる。
【００１９】
実施の形態２．
図２は、本発明に係る電力系統監視・制御システムにおける実施の形態２を示す構成図である。同図に示すように、本実施の形態ではデータサーバ６がＡ制御所１、Ｂ制御所２とは別のデータセンタ１３に設置され、データセンタ１３はネットワーク３を介してＡ制御所１及びＢ制御所２の電力系統監視・制御装置に接続されている。また、データセンタ１３にはデータサーバ６で作成されたデータベースを試験するデータ試験装置１５を備えている。
【００２０】
Ａ制御所１の電力系統監視・制御装置は、電力系統監視・制御を実施するためのサーバ５、運転者が電力系統監視・制御を行う卓装置７、及び複数の電力系統設備の状態を並列に表示することができる大画面表示装置８がシステムＬＡＮ４に対して接続された構成であり、Ｂ制御所の電力系統監視・制御装置は、電力系統監視・制御を実施するためのサーバ１０、運転者が電力系統監視・制御を行う卓装置１１、複数の電力系統設備の状態を並列に表示することができる大画面表示装置１２がシステムＬＡＮ９に対して接続された構成である。
【００２１】
Ａ制御所１及びＢ制御所２で管轄している電力系統設備の情報、すなわちサーバ５，１０に格納されるデータベースは、データセンタ１３のデータサーバ６でネットワーク３を介して一元管理されており、電力系統設備に変更が生じた場合、データセンタ１３のデータサーバ６で変更を加えたデータベースが作成され、作成されたデータベースはデータ試験装置１５で試験された後、ネットワーク３及びシステムＬＡＮ４，９を介して、各電力系統監視・制御装置に送られ、各電力系統監視・制御装置のサーバ５，１０に格納されたデータベースは、データサーバ６で作成されたデータべースに切り替えられる。これによってデータベースのメンテナンスは効率よく実施される。
【００２２】
また、各電力系統監視・制御装置のサーバ５，１０は、実施の形態１と同様、お互いにデータベースを共有しているので、後述の監視制御切替手段を各電力系統監視・制御装置に設けることによって、Ａ制御所１及びＢ制御所２は相互に代行運転あるいはバックアップ運転を容易に実施することができる。
【００２３】
また、大画面表示装置８，１２に対して相互の監視制御の画面を自制御所の監視制御の画面と並列に表示することができるので、代行運転あるいはバックアップ運転における監視を容易に実施することができる。
【００２４】
なお、上記実施の形態１及び２において、制御所がＡ制御所１とＢ制御所２の２個所の場合を示したが、３個所以上の制御所がある場合でも、代表の制御所あるいは制御所とは別のデータセンタにデータサーバを設置し、各制御所及びデータセンタの中のシステムＬＡＮによる接続、ネットワークを介した各制御所及びデータセンタの接続を同様に行えばよい。
【００２５】
実施の形態３．
図３は、本発明に係る電力系統監視・制御システムにおける実施の形態３を示す構成図であり、各制御所が管轄する電力系統設備において、設備の新設、増設、撤去等の変更が発生した場合の具体的な例を示している。
【００２６】
図３は、□□制御所が管轄する電力系統設備において、新たに変電所が新設された場合であり、Ａ制御所１の中のデータサーバ６にてデータベースがメンテナンスされ、新たに新変電所とこの変電所を管轄する制御所が加えられた新データベースが作成される。
【００２７】
続いて、Ａ制御所１内の電力系統監視・制御装置の中でデータベース試験を実施し、問題がなければ各サーバ５，１０に対して新データベースを転送する。
【００２８】
その後、各電力系統監視・制御装置にて新データベースの最終確認を行い、問題がなければ各サーバ５，１０データベースを新データベースに切り替えて、新データベースでの運用を開始する。
【００２９】
以上にように、本実施の形態によれば、Ａ制御所１に設置したデータサーバ６で新データベースを作成し、この新データベースを各制御所に転送することによって、制御所毎にデータベースのメンテナンスをする必要がなくなるので、データベースのメンテナンスが効率よく実施される。
【００３０】
なお、本実施の形態は、データサーバ６を一代表の制御所に設置した場合を示したが、データサーバ６を制御所とは別のデータセンタに設置した場合も、同様にデータベースのメンテナンスを行うことができる。
【００３１】
実施の形態４．
図４は、本発明に係る電力系統監視・制御システムにおける実施の形態４を示す構成図であり、複数の制御所の運転を一つの代表の制御所が代行するケースを２個所の制御所で示している。同図において、Ａ制御所１の大画面表示装置８には、Ａ制御所１の電力系統管轄範囲における表示画面１ａ及びＢ制御所２の電力系統管轄範囲における表示画面２ａが縮小して並べて表示されており、Ｂ制御所２の大画面表示装置１２の画面は消去されている。
【００３２】
夜間のように、電力需要が比較的安定しており、かつ電力系統設備に対する作業が比較的少ない時間帯では、各制御所における運転員の負荷は通常時間帯より軽くなるため、複数の制御所の運転を一つの代表の制御所で代行することが可能となる。
【００３３】
本実施の形態においては、上記実施の形態１及び２で示したように、Ａ制御所１及びＢ制御所２のサーバ５，１０に格納されたデータベースが相互に共有され、大画面表示装置８は複数の監視制御の画面を並列に表示することができるので、Ｂ制御所２の運転をＡ制御所１が代行して、大画面表示装置８にＢ制御所２の監視制御の表示画面２ａと自己のＡ制御所１の監視制御の表示画面１ａとを並列に表示することができる。
【００３４】
図５は、電力系統監視・制御装置の代行運転を実施する際の監視制御切替手段を示すフローチャートである。監視制御切替手段は各電力系統監視・制御装置に設けられている。また、同図は、Ａ制御所１がＢ制御所２の代行運転をする場合を示している。以下、図５を参照して、監視制御切替手段について説明する。
【００３５】
まず、初期状態において、Ａ制御所１及びＢ制御所２は、ともに通常運転中であり、それぞれの制御所１，２が管轄する電力系統を監視・制御している。
【００３６】
ステップＳＴ１：Ｂ制御所２の運転員は、電力系統監視・制御装置において、監視制御代行の要求をＡ制御所１に通知する。
【００３７】
ステップＳＴ２：Ｂ制御所２から通知を受けたＡ制御所１の運転員は、代行運転が可能であると判断した場合、Ｂ制御所２に対して監視制御代行の受付を通知する。
【００３８】
ステップＳＴ３：Ｂ制御所２の運転員は、電力系統監視・制御装置内部にあるオフライン機器の状態や気象関係の情報等のオフライン設定情報をＡ制御所１の電力系統監視・制御装置に送信し、Ａ制御所１の運転員は送信されたオフライン設定情報を自己の電力系統監視・制御装置で再現する。
【００３９】
ステップＳＴ４：Ａ制御所１の運転員は、Ｂ制御所２の代行運転の準備が完了したら、監視制御代行の準備が完了したことをＢ制御所２に通知する。
【００４０】
ステップＳＴ５：監視制御切替が実施され、Ｂ制御所２が管轄する電力系統設備の制御権はＡ制御所１に移行し、Ｂ制御所２は監視制御を停止し、Ａ制御所１による代行運転が開始される。
【００４１】
ステップＳＴ６：Ｂ制御所２が運転を再開するに当り、Ｂ制御所２の運転員はＡ制御所１に対して自己の制御所（Ｂ制御所２）における監視制御開始の要求を通知する。
【００４２】
ステップＳＴ７：監視制御開始要求を受信したＡ制御所１の運転員は監視制御開始受付をＢ制御所２に通知する。
【００４３】
ステップＳＴ８：Ａ制御所１から、Ａ制御所１で設定していたＢ制御所２の管轄の電力系統におけるオフライン設定情報をＢ制御所２に送信し、Ｂ制御所２は受信したオフライン設定情報を電力系統監視・制御装置内で再現する。
【００４４】
ステップＳＴ９：Ｂ制御所２は運転可能な状態であることを確認し、監視制御開始の準備が完了したことをＡ制御所１に通知する。
【００４５】
ステップＳＴ１０：監視制御切替が実施され、Ａ制御所１が保有していたＢ制御所１が管轄する電力系統設備の制御権はＢ制御所２に移行し、Ａ制御所１及びＢ制御所２は通常運転に戻る。
【００４６】
なお、本実施の形態では制御所が２個所の場合を示したが、３個所以上の制御所がある場合でも、上記の例と同様に、一つの代表の制御所において他の制御所の運転を代行することによって、運転員の負荷を軽減することができる。
【００４７】
実施の形態５．
図６は、本発明に係る電力系統監視・制御システムにおける実施の形態５を示す構成図であり、ある制御所の電力監視・制御装置が故障し、電力系統監視制御が不可能となった場合に、他の制御所において故障した電力系統監視・制御装置のバックアップ運転をするケースを示している。
【００４８】
同図において、Ａ制御所１の大画面表示装置８には、Ａ制御所１の電力系統管轄範囲の表示画面１ａ及びＢ制御所２の電力系統管轄範囲の表示画面２ａが画面を縮小して並べて表示されており、Ｂ制御所２の大画面表示装置１２画面は停止されている。
【００４９】
本実施の形態においては、図に示したように、Ａ制御所１及びＢ制御所２のデータベース（サーバ５，１０）は相互に共有されているので、Ｂ制御所２の運転をＡ制御所１が代行して、Ａ制御所１は、Ｂ制御所２の電力計統監視・制御の画面を自制御所１の監視制御の画面と並列に大画面表示装置８に表示することができる。
【００５０】
図７は、電力系統監視・制御装置のバックアップ運転を実施する際の監視制御切替手段を示すフローチャートである。同図は、Ａ制御所１がＢ制御所２のバックアップ運転する場合を示している。以下、図７を参照し、監視制御切替手段について説明する。
【００５１】
まず、初期状態において、Ａ制御所１及びＢ制御所２は、ともに通常運転中であり、それぞれが管轄する電力系統を監視・制御している。
【００５２】
ステップＳＴ１１：Ｂ制御所２の電力系統監視・制御装置において故障が発生し、Ｂ制御所２より緊急停止通知がＡ制御所１に通知される。
【００５３】
ステップＳＴ１２：Ａ制御所１の運転員は、監視制御代行の準備をする。なお、Ｂ制御所２の管轄の電力系統におけるオフライン設定情報はＡ制御所１に送信され、Ａ制御所１は受信したオフライン設定情報を電力系統監視・制御装置内で再現する。この時、サーバ１０が故障したケースにおいては、電話回線あるいはＦＡＸ等によってオフライン設定情報を送信する。
【００５４】
ステップＳＴ１３：Ａ制御所１は、Ｂ制御所２のバックアップ運転の準備が完了したことを確認し、監視制御切替を実施し、Ｂ制御所２が管轄する電力系統設備の制御権はＡ制御所１に移行し、Ａ制御所１によるバックアップ運転が開始される。
【００５５】
ステップＳＴ１４：Ｂ制御所２が運転を再開するに当り、Ｂ制御所２の運転員は、監視制御開始の要求をＡ制御所１に通知する。
【００５６】
ステップＳＴ１５：監視制御開始の要求を受信したＡ制御所１の運転員は監視制御開始を受付たことをＢ制御所２に通知する。
【００５７】
ステップＳＴ１６：Ａ制御所１から、Ａ制御所１で設定していたＢ制御所２管轄の電力系統におけるオフライン設定情報をＢ制御所２に送信し、Ｂ制御所２は受信したオフライン設定情報を電力系統監視・制御装置内で再現する。
【００５８】
ステップＳＴ１７：Ｂ制御所２は運転可能な状態であることを確認し、監視制御開始の準備が完了したことをＡ制御所１に通知する。
【００５９】
ステップＳＴ１８：監視制御切替が実施され、Ａ制御所１が保有していたＢ制御所２管轄の電力系統設備制御権はＢ制御所２に移行し、Ａ制御所１及びＢ制御所２は通常運転に戻る。
【００６０】
なお、本実施の形態では制御所が２個所の場合を示したが、３個所以上の制御所がある場合でも、上記の例と同様に、一つの代表の制御所において他の制御所の運転をバックアップすることによって、電力安定供給の信頼性を向上させることができる。
【００６１】
【発明の効果】
本発明に係る電力系統監視・制御システムによれば、電力系統の監視・制御を行うためのサーバと、運転員が電力系統の監視・制御の運転を行うための卓装置と、電力系統の監視・制御状態を表示する画面表示装置とをＬＡＮ接続した電力系統監視・制御装置を備えた複数の制御所の上記電力系統監視・制御装置をネットワークを介して接続した電力系統監視・制御システムであって、電力系統の監視・制御を行うために必要なデータベースをメンテナンスするためのデータサーバが上記複数の制御所のうちの一制御所の電力系統監視・制御装置にＬＡＮ接続され、各制御所の電力系統監視・制御装置におけるサーバには、データサーバで作成されたデータベースが転送されて格納され、上記各制御所の電力系統監視・制御装置は、制御所相互の監視制御を切り替える監視制御切替手段を備えているものであるので、一制御所の電力系統監視・制御装置にＬＡＮ接続されたデータサーバによって複数の制御所の電力系統監視・制御装置のデータベースを一元管理し、データベースのメンテナンスを効率よく実施することができ、また、制御所は相互に代行運転あるいはバックアップ運転を容易に行うことができる。
【００６２】
また、電力系統の監視・制御を行うためのサーバと、運転員が電力系統の監視・制御の運転を行うための卓装置と、電力系統の監視・制御状態を表示する画面表示装置とをＬＡＮ接続した電力系統監視・制御装置を備えた複数の制御所の上記電力系統監視・制御装置をネットワークを介して接続した電力系統監視・制御システムであって、電力系統の監視・制御を行うために必要なデータベースをメンテナンスするためのデータサーバが上記複数の制御所とネットワークを介して接続されたデータセンタに設置され、各制御所の電力系統監視・制御装置におけるサーバには、データサーバで作成されたデータベースが転送されて格納され、上記各制御所の電力系統監視・制御装置は、制御所相互の監視制御を切り替える監視制御切替手段を備えているものであるので、データセンタに設置されたデータサーバによって複数の制御所の電力系統監視・制御装置のデータベースを一元管理し、データベースのメンテナンスを効率よく実施することができ、また、制御所は相互に代行運転あるいはバックアップ運転を容易に行うことができる。
【００６３】
また、１つまたは複数の制御所において電力系統設備に変更が発生した場合に、データサーバにおいて上記変更に対するデータベースのメンテナンスがなされて新データベースが作成され、該新データベースが各制御所の電力系統監視・制御装置に転送され、該各制御所における電力系統監視・制御装置のデータベースが上記新データベースに切り替えられるものであるので、データベースのメンテナンス後においても、制御所は相互に代行運転あるいはバックアップ運転を容易に行うことができる。
【００６４】
また、画面表示装置が複数の制御所における電力系統の監視・制御状態を並列に表示することができる大画面表示装置であるものであるので、代行運転あるいはバックアップ運転時において、監視を容易にすることができる。
【図面の簡単な説明】
【図１】  本発明に係る電力系統監視・制御システムにおける実施の形態１を示す構成図である。
【図２】  本発明に係る電力系統監視・制御システムにおける実施の形態２を示す構成図である。
【図３】  本発明に係る電力系統監視・制御システムにおける実施の形態３を示す構成図である。
【図４】  本発明に係る電力系統監視・制御システムにおける実施の形態４を示す構成図である。
【図５】  実施の形態４における監視制御切替手段を示すフローチャートである。
【図６】  本発明に係る電力系統監視・制御システムにおける実施の形態５を示す構成図である。
【図７】  実施の形態５における監視制御切替手段を示すフローチャートである。
【図８】  従来の電力系統監視・制御システムを示す構成図である。
【符号の説明】
１  Ａ制御所、１ａ，２ａ  表示画面、２  Ｂ制御所、３  ネットワーク、
４，９，１４  システムＬＡＮ、５，１０  サーバ、６  データサーバ、
７，１１  卓装置、８，１２  大画面表示装置、１３  データセンタ、
１５  データ試験装置。
【図１】
0003824507.tif 000002
【図２】
0003824507.tif 000003
【図３】
0003824507.tif 000004
【図４】
0003824507.tif 000005
【図５】
0003824507.tif 000006
【図６】
0003824507.tif 000007
【図７】
0003824507.tif 000008
【図８】
0003824507.tif 000009